(57)【要約】【課題】インクミストが捕捉される領域の偏りを抑制することができるインクミスト収集装置及びインクジェット記録装置を提供する。【解決手段】回転動作によりミスト流入口を介してダクト内に空気を流入させて吸引するファンと、ダクト内においてファンの回転軸に沿って設けられ、吸引される空気中のインクミストを各々捕捉する複数のフィルターとを備え、各フィルターは、ファンの回転軸に垂直な面への投影面積が、ファンがなす円の面積よりも大きく、各フィルターには、ミスト流入口に最も近い最上流フィルターにより捕捉されるインクミストの重量が、他のフィルターの各々により捕捉されるインクミストの重量よりも大きくなる条件を満たすものが用いられ、回転軸に平行な軸方向に隣り合う少なくとも一対のフィルターは、フィルター間において軸方向とは異なる方向に空気が流動する間隔で配置されている。【選択図】図３
2017226095.tif 000002
【特許請求の範囲】
【請求項１】
インクミスト及び空気を流入させるミスト流入口が設けられたダクトと、
回転動作により前記ミスト流入口を介して前記ダクト内に空気を流入させて当該流入した空気を吸引するファンと、
前記ダクト内の前記ミスト流入口と前記ファンとの間において前記ファンの回転軸に沿って設けられ、空気中のインクミストを各々捕捉する複数のフィルターと、
を備え、
前記複数のフィルターの各々は、前記ファンの回転軸に垂直な面への投影面積が、前記回転動作する前記ファンがなす円の面積よりも大きく、
前記複数のフィルターの各々には、当該複数のフィルターのうち前記ミスト流入口に最も近い最上流フィルターにより捕捉されるインクミストの重量が、前記複数のフィルターのうち前記最上流フィルター以外のフィルターの各々により捕捉されるインクミストの重量よりも大きくなる条件を満たすものが用いられ、
前記複数のフィルターのうち前記回転軸に平行な軸方向に隣り合う少なくとも一対のフィルターは、前記軸方向について、前記吸引される空気が前記一対のフィルターの間において前記軸方向とは異なる方向に流動する間隔で配置されている
ことを特徴とするインクミスト収集装置。
【請求項２】
前記複数のフィルターの各々には、前記最上流フィルターにより当該最上流フィルターの特性に応じて捕捉可能なインクミストの直径の最小値が、前記最上流フィルター以外のフィルターの各々により当該フィルターの各々の特性に応じて捕捉可能なインクミストの直径の最小値以下となる条件を満たすものが用いられていることを特徴とする請求項１に記載のインクミスト収集装置。
【請求項３】
前記一対のフィルターの間隔は、前記ファンにより空気が吸引されているときの前記一対のフィルターの間における前記軸方向とは異なる方向への空気の流動により、前記最上流フィルターにおける空気の通過面の端部において生じる前記ファンによる空気の吸引力を増大させる大きさであることを特徴とする請求項１又は２に記載のインクミスト収集装置。
【請求項４】
前記複数のフィルターは、前記軸方向について、互いに当該複数のフィルターの厚さの最大値よりも大きい間隔を開けて配置されていることを特徴とする請求項１〜３の何れか一項に記載のインクミスト収集装置。
【請求項５】
前記最上流フィルターは、前記ダクトに対して着脱可能に設けられていることを特徴とする請求項１〜４の何れか一項に記載のインクミスト収集装置。
【請求項６】
前記複数のフィルターのうち前記ファンに最も近いフィルターは、前記ダクトに対して着脱不能な状態で固定されていることを特徴とする請求項５に記載のインクミスト収集装置。
【請求項７】
前記複数のフィルターの各々の前記投影面積は、前記回転動作する前記ファンがなす円の面積の１０倍以上であり、
前記複数のフィルターのうち前記ファンに最も近いフィルターと前記ファンとの間隔は、前記円の直径の１／２以下である
ことを特徴とする請求項１〜６の何れか一項に記載のインクミスト収集装置。
【請求項８】
インクを吐出するインク吐出部と、
請求項１〜７の何れか一項に記載のインクミスト収集装置と、
を備えることを特徴とするインクジェット記録装置。
【発明の詳細な説明】
【技術分野】
【０００１】
本発明は、インクミスト収集装置及びインクジェット記録装置に関する。
【背景技術】
【０００２】
従来、ノズルからインクを吐出させて記録媒体上に画像を記録するインクジェット記録装置がある。インクジェット記録装置では、ノズルからのインクの液滴の吐出に伴って微小な霧状のインク（インクミスト）が発生する。ノズルの開口部と記録媒体との間を漂うこのインクミストが記録媒体に付着すると、記録画像の画質が低下するという問題がある。また、インクミストがノズルの開口部に付着して固化することにより、ノズルからのインクの吐出方向や吐出量が本来の設定からずれることがあるという問題がある。
【０００３】
これに対し、従来、ノズルの近傍でインクミストを吸引し、フィルターで捕捉して回収する技術がある。例えば、特許文献１には、ファンの回転動作によりダクト内にインクミストを吸引し、ダクト内をファンに向かって流動するインクミストを、ファンに対向する位置に設けられたフィルターにより捕捉する技術が開示されている。このような技術では、インクジェット記録装置の小型化や製造コストの低減のために、効果的にインクミストを吸引できる範囲で可能な限り小さいファンが用いられ、通常、ファンとしては、回転するファンがなす円の面積がフィルターの面積よりも小さいものが用いられる。
【先行技術文献】
【特許文献】
【０００４】
【特許文献１】特開２００９−２６２４９２号公報
【発明の概要】
【発明が解決しようとする課題】
【０００５】
しかしながら、上記従来の技術では、フィルターのうちファンと対向する領域における吸引力が特に大きくなり、フィルターにおいてインクミストが捕捉される領域が偏ってしまうため、フィルターの交換頻度が高くなってランニングコストの上昇を招くという課題がある。
【０００６】
この発明の目的は、インクミストが捕捉される領域の偏りを抑制することができるインクミスト収集装置及びインクジェット記録装置を提供することにある。
【課題を解決するための手段】
【０００７】
上記目的を達成するため、請求項１に記載のインクミスト収集装置の発明は、
インクミスト及び空気を流入させるミスト流入口が設けられたダクトと、
回転動作により前記ミスト流入口を介して前記ダクト内に空気を流入させて当該流入した空気を吸引するファンと、
前記ダクト内の前記ミスト流入口と前記ファンとの間において前記ファンの回転軸に沿って設けられ、空気中のインクミストを各々捕捉する複数のフィルターと、
を備え、
前記複数のフィルターの各々は、前記ファンの回転軸に垂直な面への投影面積が、前記回転動作する前記ファンがなす円の面積よりも大きく、
前記複数のフィルターの各々には、当該複数のフィルターのうち前記ミスト流入口に最も近い最上流フィルターにより捕捉されるインクミストの重量が、前記複数のフィルターのうち前記最上流フィルター以外のフィルターの各々により捕捉されるインクミストの重量よりも大きくなる条件を満たすものが用いられ、
前記複数のフィルターのうち前記回転軸に平行な軸方向に隣り合う少なくとも一対のフィルターは、前記軸方向について、前記吸引される空気が前記一対のフィルターの間において前記軸方向とは異なる方向に流動する間隔で配置されている
ことを特徴としている。
【０００８】
請求項２に記載の発明は、請求項１に記載のインクミスト収集装置において、
前記複数のフィルターの各々には、前記最上流フィルターにより当該最上流フィルターの特性に応じて捕捉可能なインクミストの直径の最小値が、前記最上流フィルター以外のフィルターの各々により当該フィルターの各々の特性に応じて捕捉可能なインクミストの直径の最小値以下となる条件を満たすものが用いられていることを特徴としている。
【０００９】
請求項３に記載の発明は、請求項１又は２に記載のインクミスト収集装置において、
前記一対のフィルターの間隔は、前記ファンにより空気が吸引されているときの前記一対のフィルターの間における前記軸方向とは異なる方向への空気の流動により、前記最上流フィルターにおける空気の通過面の端部において生じる前記ファンによる空気の吸引力を増大させる大きさであることを特徴としている。
【００１０】
請求項４に記載の発明は、請求項１〜３の何れか一項に記載のインクミスト収集装置において、
前記複数のフィルターは、前記軸方向について、互いに当該複数のフィルターの厚さの最大値よりも大きい間隔を開けて配置されていることを特徴としている。
【００１１】
請求項５に記載の発明は、請求項１〜４の何れか一項に記載のインクミスト収集装置において、
前記最上流フィルターは、前記ダクトに対して着脱可能に設けられていることを特徴としている。
【００１２】
請求項６に記載の発明は、請求項５に記載のインクミスト収集装置において、
前記複数のフィルターのうち前記ファンに最も近いフィルターは、前記ダクトに対して着脱不能な状態で固定されていることを特徴としている。
【００１３】
請求項７に記載の発明は、請求項１〜６の何れか一項に記載のインクミスト収集装置において、
前記複数のフィルターの各々の前記投影面積は、前記回転動作する前記ファンがなす円の面積の１０倍以上であり、
前記複数のフィルターのうち前記ファンに最も近いフィルターと前記ファンとの間隔は、前記円の直径の１／２以下である
ことを特徴としている。
【００１４】
また、上記目的を達成するため、請求項８に記載のインクジェット記録装置の発明は、
インクを吐出するインク吐出部と、
請求項１〜７の何れか一項に記載のインクミスト収集装置と、
を備えることを特徴としている。
【発明の効果】
【００１５】
本発明に従うと、インクミストが捕捉される領域の偏りを抑制することができるという効果がある。
【図面の簡単な説明】
【００１６】
【図１】インクジェット記録装置の概略構成を示す図である。
【図２】ヘッドユニットのインク吐出面及び第１中間ミスト収集部の吸引面を示す底面図である。
【図３】第１中間ミスト収集部の断面図である。
【図４】ヘッドユニットのインク吐出面及び最終ミスト収集部の吸引面を示す底面図である。
【図５】最終ミスト収集部の断面図である。
【図６】インクジェット記録装置の主要な機能構成を示すブロック図である。
【図７】ミスト吸引処理の制御部による制御手順を示すフローチャートである。
【発明を実施するための形態】
【００１７】
以下、本発明のインクミスト収集装置及びインクジェット記録装置に係る実施の形態を図面に基づいて説明する。
【００１８】
図１は、本発明の実施形態であるインクジェット記録装置１の概略構成を示す図である。
インクジェット記録装置１は、給紙部１０と、画像記録部２０と、排紙部３０と、制御部４０（図６）とを備える。インクジェット記録装置１は、制御部４０による制御下で、給紙部１０に格納された記録媒体Ｐを画像記録部２０に搬送し、画像記録部２０で記録媒体Ｐに画像を記録し、画像が記録された記録媒体Ｐを排紙部３０に搬送する。記録媒体Ｐとしては、普通紙や塗工紙といった紙のほか、布帛又はシート状の樹脂等、表面に着弾したインクを定着させることが可能な種々の媒体を用いることができる。
【００１９】
給紙部１０は、記録媒体Ｐを格納する給紙トレー１１と、給紙トレー１１から画像記録部２０に記録媒体Ｐを搬送して供給する媒体供給部１２とを有する。媒体供給部１２は、内側が２本のローラーにより支持された輪状のベルトを備え、このベルト上に記録媒体Ｐを載置した状態でローラーを回転させることで記録媒体Ｐを給紙トレー１１から画像記録部２０へ搬送する。
【００２０】
画像記録部２０は、搬送ドラム２１と、受け渡しユニット２２と、加熱部２３と、ヘッドユニット２４（インク吐出部）と、ミスト収集部２５（インクミスト収集装置）と、定着部２６と、デリバリー部２７などを有する。
【００２１】
搬送ドラム２１は、円柱面状の外周曲面（搬送面）上に記録媒体Ｐを保持した状態で図１の図面に垂直な方向（以下では、幅方向と記す。）に延びた回転軸の回りで回転することで記録媒体Ｐを搬送面に沿った搬送方向に搬送する。搬送ドラム２１は、その搬送面上で記録媒体Ｐを保持するための図示しない爪部及び吸気部を備える。記録媒体Ｐは、爪部により端部が押さえられ、かつ吸気部により搬送面に吸い寄せられることで搬送面に保持される。搬送ドラム２１は、搬送ドラム２１を回転させるための図示しない搬送ドラムモーターを有し、搬送ドラムモーターの回転量に比例した角度だけ回転する。
【００２２】
受け渡しユニット２２は、給紙部１０の媒体供給部１２により搬送された記録媒体Ｐを搬送ドラム２１に引き渡す。受け渡しユニット２２は、給紙部１０の媒体供給部１２と搬送ドラム２１との間の位置に設けられ、媒体供給部１２から搬送された記録媒体Ｐの一端をスイングアーム部２２１で保持して取り上げ、受け渡しドラム２２２を介して搬送ドラム２１に引き渡す。
【００２３】
加熱部２３は、受け渡しドラム２２２の配置位置とヘッドユニット２４の配置位置との間に設けられ、搬送ドラム２１により搬送される記録媒体Ｐが所定の温度範囲内の温度となるように搬送ドラム２１の搬送面及び記録媒体Ｐを加熱する。加熱部２３は、例えば、赤外線ヒーター等を有し、ＣＰＵ４１（図６）から供給される制御信号に基づいて赤外線ヒーターに通電して当該赤外線ヒーターを発熱させる。
【００２４】
ヘッドユニット２４は、記録媒体Ｐが保持された搬送ドラム２１の回転に応じた適切なタイミングで、搬送ドラム２１の搬送面に対向するインク吐出面に設けられたノズル開口部から記録媒体Ｐに対してインクを吐出して画像を記録する。ヘッドユニット２４は、インク吐出面と搬送面とが所定の距離だけ離隔されるように配置される。本実施形態のインクジェット記録装置１では、イエロー（Ｙ）、マゼンタ（Ｍ）、シアン（Ｃ）、ブラック（Ｋ）の４色のインクにそれぞれ対応する４つのヘッドユニット２４が記録媒体Ｐの搬送方向上流側からＹ，Ｍ，Ｃ，Ｋの色の順に所定の間隔で並ぶように配列されている。
【００２５】
各ヘッドユニット２４は、複数の記録ヘッド２４２（図２、図６）を備える。記録ヘッド２４２の各々には、インクを貯留する圧力室と、圧力室の壁面に設けられた圧電素子と、ノズルとを各々有する複数の記録素子が設けられている。この記録素子は、圧電素子を変形動作させる駆動信号が入力されると、圧電素子の変形により圧力室が変形して圧力室内の圧力が変化し、圧力室に連通するノズルからインクを吐出する。
ヘッドユニット２４に設けられた記録素子の幅方向についての配置範囲は、搬送ドラム２１により搬送される記録媒体Ｐのうち画像が記録可能な領域の幅方向の幅をカバーしている。ヘッドユニット２４は、画像の記録時には位置が固定されて用いられ、記録媒体Ｐの搬送に応じて搬送方向の異なる位置に所定の間隔（搬送方向間隔）で順次インクを吐出していくことで、シングルパス方式で画像を記録する。
【００２６】
ヘッドユニット２４から吐出されるインクとしては、温度によってゲル状又はゾル状に相変化し、紫外線等のエネルギー線を照射することにより硬化する性質を有するものが用いられる。
また、本実施形態では、常温でゲル状であり加熱されることによりゾル状となるインクが用いられる。ヘッドユニット２４は、ヘッドユニット２４内に貯留されるインクを加熱する図示略のインク加熱部を備え、当該インク加熱部は、ＣＰＵ４１による制御下で動作し、ゾル状となる温度にインクを加熱する。ヘッドユニット２４は、加熱されてゾル状となったインクを吐出する。このゾル状のインクが記録媒体Ｐに吐出されると、インク滴が記録媒体Ｐに着弾した後、自然冷却されることで速やかにインクがゲル状となって記録媒体Ｐ上で凝固する。
【００２７】
ミスト収集部２５は、ヘッドユニット２４のノズルからのインク吐出に伴って発生する微小な霧状のインク（インクミスト）を吸引して捕捉する。ミスト収集部２５は、ここでは、４つ設けられている。そのうちの２つは、ヘッドユニット２４のうち搬送方向上流側の２つに対し、それらの搬送方向下流側に取り付けられた第１中間ミスト収集部２５１であり、１つは、搬送方向について最も下流側にあるヘッドユニット２４に対し、その搬送方向上流側に取り付けられた第２中間ミスト収集部２５２であり、残りの１つは、ヘッドユニット２４と定着部２６との間に独立して設けられる最終ミスト収集部２５３である。第１中間ミスト収集部２５１、第２中間ミスト収集部２５２及び最終ミスト収集部２５３は、吸引ファンにより内部の空気を排気することにより、搬送ドラム２１の搬送面と対向する吸引面からインクミストを吸引して収集する。ミスト収集部２５の構造については後述する。
【００２８】
定着部２６は、搬送ドラム２１の幅方向の幅に亘って配置された発光部を有する。定着部２６は、搬送ドラム２１に載置された記録媒体Ｐに対して当該発光部から紫外線等のエネルギー線を照射することにより記録媒体Ｐ上に吐出されたインクに対して所定のエネルギーを付与し、これによりインクを硬化させて定着させる。定着部２６の発光部は、搬送方向についてミスト収集部２５の配置位置からデリバリー部２７の受け渡しドラム２７１の配置位置までの間において、搬送ドラム２１の搬送面と対向して配置される。
【００２９】
デリバリー部２７は、内側が２本のローラーにより支持された輪状のベルトを有するベルトループ２７２と、記録媒体Ｐを搬送ドラム２１からベルトループ２７２に受け渡す円筒状の受け渡しドラム２７１とを有し、受け渡しドラム２７１により搬送ドラム２１からベルトループ２７２上に受け渡された記録媒体Ｐをベルトループ２７２により搬送して排紙部３０に送出する。
【００３０】
排紙部３０は、デリバリー部２７により画像記録部２０から送り出された記録媒体Ｐが載置される板状の排紙トレー３１を有する。
【００３１】
制御部４０は、インクジェット記録装置１の全体動作を統括制御する。制御部４０の機能動作については、後に詳述する。
【００３２】
図２は、ヘッドユニット２４のインク吐出面及び第１中間ミスト収集部２５１の吸引面を示す底面図である。なお、第２中間ミスト収集部２５２の構造は、この第１中間ミスト収集部２５１と搬送方向に垂直な面に対して対称な構造であり、以下では説明を省略する。
【００３３】
ヘッドユニット２４では、記録素子のノズル２４３が幅方向について交互に配置されるような位置関係で搬送方向に隣接して配置された２つの記録ヘッド２４２により、ヘッドモジュール２４２Ｍが構成されている。また、８つのヘッドモジュール２４２Ｍが、ノズル２４３からインクを吐出可能な範囲が幅方向に連続的に繋がるような位置関係で、幅方向についての配置範囲が互いに一部重複するように千鳥格子状に配置されてラインヘッドが構成されている。
【００３４】
第１中間ミスト収集部２５１は、ヘッドユニット２４の搬送方向下流側に隣接しヘッドユニット２４の幅方向の長さに亘って幅方向に延びるミスト流入部２５１ａと、ミスト流入部２５１ａの端部に接続されヘッドユニット２４に対し幅方向に隣り合う位置に設けられた本体部２５１ｂとを有する。このように、第１中間ミスト収集部２５１は、ヘッドユニット２４よりも幅方向に長い形状を有し、当該ヘッドユニット２４よりも長い部分では、ヘッドユニット２４の幅方向に隣接する位置まで搬送方向に広がったＬ字形状となっている。
ミスト流入部２５１ａの搬送面と対向する面（吸引面）には、円形状の複数のミスト流入口２５１１が幅方向に配列されて設けられている。また、本体部２５１ｂの搬送方向上流側の側面には、吸引ファン２５１２（ファン）が設けられている。
なお、ミスト流入口２５１１の形状は、円形以外の形状であっても良い。また、ここでは、各ミスト流入口２５１１のサイズを均一に表現しているが、各ミスト流入口２５１１での吸引力が均一になるように、ミスト流入口２５１１と吸引ファン２５１２との位置関係などに応じて適宜サイズを異ならせても良い。
【００３５】
図３は、第１中間ミスト収集部２５１の断面図である。図３（ａ）は、図２における断面線Ａ１−Ａ１での断面図を示し、図３（ｂ）は、図３（ａ）における断面線Ａ２−Ａ２での断面図を示す。
【００３６】
第１中間ミスト収集部２５１は、その内部において、ミスト流入口２５１１に連通する空間がミスト流入部２５１ａ及び本体部２５１ｂに亘って設けられることで、吸引された空気が流動するダクト２５１７を構成している。吸引ファン２５１２は、当該ダクト２５１７の本体部２５１ｂにおける端部に設けられている。吸引ファン２５１２は、その回転動作により、ダクト２５１７内の空気を搬送方向上流側に向けて外部に排気し、これによりミスト流入口２５１１からインクミストを含む空気をダクト２５１７内に流入させるとともに当該流入した空気を吸引する。
【００３７】
ダクト２５１７内のミスト流入口２５１１からファン２５１２に向かう空気の流動経路のうち本体部２５１ｂに対応する部分には、吸引ファン２５１２の回転軸２５１２ａに平行な軸方向（吸引ファン２５１２による空気の吸引方向）について互いに異なる位置に、平板形状の第１フィルター２５１３（最上流フィルター）及び第２フィルター２５１４が、ダクト２５１７の軸方向に垂直な断面全体に亘って設けられている。本実施形態では、第１フィルター２５１３及び第２フィルター２５１４は、軸方向に垂直となるように設けられ、第１フィルター２５１３は、空気の通過面が第２フィルター２５１４を介して吸引ファン２５１２に対向し、第２フィルター２５１４は、空気の通過面が直接吸引ファン２５１２に対向している。また、第２フィルター２５１４は、軸方向について、第１フィルター２５１３に対して間隔ｄ１をおいて下流側に配置され、かつ、吸引ファン２５１２との軸方向についての間隔ｄ２が、回転動作する吸引ファン２５１２がなす円の直径Ｄ１の１／２以下となる位置に配置されている。詳しくは、第２フィルター２５１４と回転軸２５１２ａとの交点と、吸引ファン２５１２のうち軸方向について第２フィルター２５１４に最も近い部分との軸方向の距離が、直径Ｄ１の１／２以下となっている。また、上記の間隔ｄ１は、第１フィルター２５１３及び第２フィルター２５１４の何れの厚さよりも大きくなっている。また、第１フィルター２５１３及び第２フィルター２５１４の面積は、それぞれ、回転動作する吸引ファン２５１２がなす円（即ち、直径Ｄ１の円）の面積の１０倍以上となっている。
【００３８】
第１フィルター２５１３及び第２フィルター２５１４には、例えば、スポンジ部材などの多孔質で空気を通過させるものが用いられる。また、第１フィルター２５１３では、第２フィルター２５１４よりも密度が大きい（目の細かい）部材が用いられている。即ち、第１フィルター２５１３により当該第１フィルター２５１３の特性に応じて捕捉可能なインクミストの直径の最小値は、第２フィルター２５１４により当該第２フィルター２５１４の特性に応じて捕捉可能なインクミストの直径の最小値以下となっている。この結果、第１中間ミスト収集部２５１において捕捉されるインクミストの大部分は、第１フィルター２５１３により捕捉され、第１フィルター２５１３により捕捉されるインクミストの重量は、第２フィルター２５１４により捕捉されるインクミストの重量よりも大きくなる。
また、第２フィルター２５１４には、ファン２５１２の吸引により当該第２フィルター２５１４を軸方向に通過しようとする空気の一部を通過させずに軸方向とは異なる方向に流動させるような通過抵抗を有するものが用いられる。
【００３９】
また、第１フィルター２５１３は、ダクト２５１７に対して着脱可能に設けられ、交換可能とされている。第１フィルター２５１３が交換される場合には、本体部２５１ｂの側面に設けられた開口部２５１５から第１フィルター２５１３が引き抜かれ、また開口部２５１５から新しいフィルター２５１３がダクト２５１７内に挿入されて、フィルター２５１３の先端の位置が固定部材２５１６により規定された状態で固定される。
他方で、第２フィルター２５１４は、ダクト２５１７に対して着脱不能な状態で固定されている。
【００４０】
吸引ファン２５１２の回転動作により、ミスト流入口２５１１を介してダクト２５１７内に流入したインクミストを含んだ空気は、ダクト２５１７内のうちミスト流入部２５１ａに対応する部分では、幅方向に流動する。そして、当該空気は、ダクト２５１７のうち本体部２５１ｂに対応する部分に到達すると、軸方向に流動し、第１フィルター２５１３を通過するときに大部分のインクミストが当該第１フィルター２５１３に捕捉される。ここで、第１フィルター２５１３を通過した空気は、第１フィルター２５１３の下流側に第２フィルター２５１４が設けられていることで、第１フィルター２５１３及び第２フィルター２５１４の間の空間において軸方向と異なる方向に流動する。即ち、第１フィルター２５１３と第２フィルター２５１４との軸方向についての間隔ｄ１は、第１フィルター２５１３及び第２フィルター２５１４の間の空気が軸方向と異なる方向に流動する間隔に調整されている。このように、第１フィルター２５１３を通過した空気は、第２フィルター２５１４を軸方向に素通りするのではなく、第２フィルター２５１４の通過抵抗により一部が軸方向と異なる方向に流動して第２フィルター２５１４を通過するタイミングが遅延される。
【００４１】
上述のように、吸引される空気が第２フィルター２５１４を通過する前に軸方向と異なる方向に流動する結果、第１フィルター２５１３と第２フィルター２５１４との間において吸引により生じる負圧の分布の偏りが少なくなり、第１フィルター２５１３の位置において生じる吸引力の軸方向と垂直な面内での分布の偏りが少なくなる。即ち、第１フィルター２５１３における空気の通過面の端部において生じる吸引力が増大する。これにより、当該第１フィルター２５１３の各位置で一定量以上の空気が吸引されて通過するため、第１フィルター２５１３の全面においてインクミストが捕捉される。換言すれば、第１フィルター２５１３の全面においてインクミストが捕捉されるような空気流が第１フィルター２５１３の位置に発生する。
【００４２】
なお、吸引ファン２５１２による吸引の強さは、インクミストが吸引可能な強度以上であり、かつ、記録媒体Ｐを移動させたりヘッドユニット２４から吐出されたインクの飛翔経路に影響を及ぼしたりする強度未満に限定される。吸引ファン２５１２自体の動作強度（回転速度）の調整が困難な構成の場合には、ミスト流入口２５１１の数、サイズや、第１フィルター２５１３及び第２フィルター２５１４の厚みや材質などによって吸引力を適宜な強さに減衰させて調整を行うことができる。
【００４３】
図４は、ヘッドユニット２４のインク吐出面及び最終ミスト収集部２５３の吸引面を示す底面図である。
最終ミスト収集部２５３は、搬送方向について最も下流側のヘッドユニット２４の搬送方向下流側に隣接し、幅方向の長さがヘッドユニット２４の幅方向の長さと略等しい直方体形状の筐体を有する。
最終ミスト収集部２５３の搬送面と対向する面（吸引面）のうちヘッドユニット２４に近い側の端部近傍には、円形状の複数のミスト流入口２５３１が幅方向に配列されて設けられている。ミスト流入口２５３１の形状及び数は、第１中間ミスト収集部２５１におけるミスト流入口２５１１と同一である。また、最終ミスト収集部２５３の搬送方向上流側の側面には、３つの吸引ファン２５３２（ファン）が設けられている。
【００４４】
図５は、最終ミスト収集部２５３の断面図である。図５（ａ）は、図４における断面線Ｂ１−Ｂ１での断面図を示し、図５（ｂ）は、図５（ａ）における断面線Ｂ２−Ｂ２での断面図を示す。
【００４５】
最終ミスト収集部２５３の筐体は、その内部において、ミスト流入口２５３１に連通する空間が設けられることで、吸引された空気が流動するダクト２５３７を構成している。吸引ファン２５１２は、ダクト２５３７の搬送方向下流側の端部に設けられている。吸引ファン２５３２は、その回転動作により、当該ダクト２５３７内の空気を搬送方向下流側に向けて外部に排気し、これによりミスト流入口２５３１からインクミストを含む空気をダクト２５３７内に流入させるとともに当該流入した空気を吸引する。
【００４６】
ダクト２５３７内のミスト流入口２５３１からファン２５３２に向かう空気の流動経路には、吸引ファン２５３２の回転軸２５３２ａに平行な軸方向について互いに異なる位置に、平板形状の第１フィルター２５３３（最上流フィルター）及び第２フィルター２５３４が、ダクト２５３７の吸引軸方向に垂直な断面全体に亘って設けられている。本実施形態では、第１フィルター２５３３及び第２フィルター２５３４は、軸方向に垂直となるように設けられ、第１フィルター２５３３は、空気の通過面が第２フィルター２５３４を介して吸引ファン２５３２に対向し、第２フィルター２５３４は、空気の通過面が直接吸引ファン２５３２に対向している。第２フィルター２５３４は、軸方向について、第１フィルター２５３３に対して間隔ｄ１をおいて下流側に配置され、かつ吸引ファン２５３２との軸方向についての間隔ｄ２が、回転動作する吸引ファン２５３２がなす円の直径Ｄ２の１／２以下となる位置に配置されている。詳しくは、第２フィルター２５３４と回転軸２５３２ａとの交点と、吸引ファン２５３２のうち軸方向について第２フィルター２５３４に最も近い部分との軸方向の距離が、直径Ｄ２の１／２以下となっている。また、上記の間隔ｄ１は、第１フィルター２５３３及び第２フィルター２５３４の何れの厚さよりも大きくなっている。また、第１フィルター２５３３及び第２フィルター２５３４の面積は、回転動作する吸引ファン２５３２がなす円（即ち、直径Ｄ２の円）の面積の合計値に対して１０倍以上となっている。
第１フィルター２５３３の部材は、第１中間ミスト収集部２５１における第１フィルター２５１３の部材と同一であり、第２フィルター２５３４の部材は、第２フィルター２５１４の部材と同一である。また、第１フィルター２５３３は、ダクト２５３７に対して着脱可能に設けられて交換可能とされており、他方で第２フィルター２５３４は、ダクト２５３７に対して着脱不能な状態で固定されている。
【００４７】
吸引ファン２５３２の回転動作により、ミスト流入口２５３１を介してダクト２５３７内に吸引されたインクミストを含んだ空気は、ダクト２５３７内において軸方向に流動する。そして、当該空気は、第１フィルター２５３３を通過するときに大部分のインクミストが当該第１フィルター２５３３に捕捉される。また、第１フィルター２５３３を通過した空気は、第２フィルター２５１４の通過抵抗により、第１フィルター２５１３及び第２フィルター２５１４の間の空間において一部が軸方向と異なる方向に流動して第２フィルター２５１４を通過するタイミングが遅延される。
【００４８】
このように、最終ミスト収集部２５３においても、第１中間ミスト収集部２５１及び第２中間ミスト収集部２５２と同様に、吸引される空気が第２フィルター２５３４を通過する前に軸方向と異なる方向に流動する結果、第１フィルター２５３３の位置において生じる吸引力の軸方向と垂直な面内での分布の偏りが少なくなり、第１フィルター２５３３の全面においてインクミストが捕捉される。
【００４９】
最終ミスト収集部２５３では、複数の吸引ファン２５３２が用いられることで、インクミストが第１フィルター２５３３で十分に捕捉される範囲で第１中間ミスト収集部２５１及び第２中間ミスト収集部２５２よりも吸引力が強くなるように設定されている。また、このような設定のために、吸引ファン２５３２の直径Ｄ２を、第１中間ミスト収集部２５１の吸引ファン２５１２の直径Ｄ１と異ならせても良い。このとき、吸引ファン２５３２の吸気によりヘッドユニット２４から吐出されたインクの飛翔に影響が生じないように、ヘッドユニット２４と最終ミスト収集部２５３との間の距離が定められる。
【００５０】
図６は、インクジェット記録装置１の主要な機能構成を示すブロック図である。
インクジェット記録装置１は、加熱部２３と、記録ヘッド駆動部２４１及び記録ヘッド２４２を有するヘッドユニット２４と、吸引ファン駆動部５１及び吸引ファン２５１２、２５３２を有するミスト収集部２５と、定着部２６と、制御部４０と、搬送駆動部５２と、入出力インターフェース５３と、バス５４などを備える。
【００５１】
記録ヘッド駆動部２４１は、記録ヘッド２４２の記録素子に対して適切なタイミングで画像データに応じて圧電素子を変形動作させる駆動信号を供給することにより、記録ヘッド２４２のノズルから画像データの画素値に応じた量のインクを吐出させる。
【００５２】
吸引ファン駆動部５１は、制御部４０の制御に基づいてミスト収集部２５の吸引ファン２５１２、２５３２をそれぞれ回転動作させる。吸引ファン駆動部５１は、吸引ファン２５１２、２５３２の動作有無を一括して切り替え可能であっても良い。
【００５３】
制御部４０は、ＣＰＵ４１（Central Processing Unit）、ＲＡＭ４２（Random Access Memory）、ＲＯＭ４３（Read Only Memory）及び記憶部４４を有する。
【００５４】
ＣＰＵ４１は、ＲＯＭ４３に記憶された各種制御用のプログラムや設定データを読み出してＲＡＭ４２に記憶させ、当該プログラムを実行して各種演算処理を行う。また、ＣＰＵ４１は、インクジェット記録装置１の全体動作を統括制御する。
【００５５】
ＲＡＭ４２は、ＣＰＵ４１に作業用のメモリー空間を提供し、一時データを記憶する。ＲＡＭ４２は、不揮発性メモリーを含んでいても良い。
【００５６】
ＲＯＭ４３は、ＣＰＵ４１により実行される各種制御用のプログラムや設定データ等を格納する。なお、ＲＯＭ４３に代えてＥＥＰＲＯＭ（Electrically Erasable Programmable Read Only Memory）やフラッシュメモリー等の書き換え可能な不揮発性メモリーが用いられても良い。
【００５７】
記憶部４４には、入出力インターフェース５３を介して外部装置２から入力されたプリントジョブ（画像記録命令）及び当該プリントジョブに係る画像データが記憶される。記憶部４４としては、例えばＨＤＤ（Hard Disk Drive）が用いられ、また、ＤＲＡＭ（Dynamic Random Access Memory）などが併用されても良い。
【００５８】
搬送駆動部５２は、ＣＰＵ４１から供給される制御信号に基づいて搬送ドラム２１の搬送ドラムモーターに駆動信号を供給して搬送ドラム２１を所定の速度及びタイミングで回転させる。また、搬送駆動部５２は、ＣＰＵ４１から供給される制御信号に基づいて媒体供給部１２、受け渡しユニット２２、及びデリバリー部２７を動作させるためのモーターに駆動信号を供給して、記録媒体Ｐの搬送ドラム２１への供給及び搬送ドラム２１からの排出を行わせる。
【００５９】
入出力インターフェース５３は、外部装置２と制御部４０との間のデータの送受信を媒介する。入出力インターフェース５３は、例えば各種シリアルインターフェース、各種パラレルインターフェースのいずれか又はこれらの組み合わせで構成される。
【００６０】
バス５４は、制御部４０と他の構成との間で信号の送受信を行うための経路である。
【００６１】
外部装置２は、例えばパーソナルコンピューターであり、入出力インターフェース５３を介して画像記録命令（プリントジョブ）及び画像データ等を制御部４０に供給する。
【００６２】
次に、本実施形態のインクジェット記録装置１におけるミスト収集動作について説明する。
このインクジェット記録装置１では、プリントジョブの実行命令が取得されから、プリントジョブに係る一連の画像記録動作の終了後、新たなプリントジョブの実行命令が取得されないまま所定時間が経過するまでの間継続的にミスト収集部２５を動作させる。
【００６３】
図７は、本実施形態のインクジェット記録装置１において実行されるミスト吸引処理の制御部４０による制御手順を示すフローチャートである。
このミスト吸引処理は、プリントジョブの実行命令が取得された場合に起動される処理である。
【００６４】
ミスト吸引処理が開始されると、制御部４０（ＣＰＵ４１）は、現在ミスト吸引に係る動作を停止中であるか否かを判別する（ステップＳ１０１）。停止中ではないと判別された場合には（ステップＳ１０１で“ＮＯ”）、別個にミスト吸引処理が実行されているので、制御部４０は、開始されたミスト吸引処理を終了する。
【００６５】
停止中であると判別された場合には（ステップＳ１０１で“ＹＥＳ”）、制御部４０は、吸引ファン駆動部５１に制御信号を出力し、吸引ファン２５１２、２５３２の回転動作を開始させる（ステップＳ１０２）。
【００６６】
制御部４０は、プリントジョブに係る画像記録動作が終了しているか否かを判別する（ステップＳ１０３）。終了していないと判別された場合には（ステップＳ１０３で“ＮＯ”）、制御部４０は、ステップＳ１０３の処理を繰り返す。終了していると判別された場合には（ステップＳ１０３で“ＹＥＳ”）、制御部４０は、新たなプリントジョブの実行命令が有る（取得されている）か否かを判別する（ステップＳ１０４）。取得されていると判別された場合には（ステップＳ１０４で“ＹＥＳ”）、制御部４０の処理は、ステップＳ１０３に戻る。
【００６７】
新たな記録動作命令がないと判別された場合には（ステップＳ１０４で“ＮＯ”）、制御部４０は、記録動作の終了から所定時間が経過したか否かを判別する（ステップＳ１０５）。所定時間が経過していないと判別された場合には（ステップＳ１０５で“ＮＯ”）、制御部４０の処理は、ステップＳ１０４に戻る。所定時間が経過したと判別された場合には（ステップＳ１０５で“ＹＥＳ”）、制御部４０は、吸引ファン駆動部５１に制御信号を出力して吸引ファン２５１２、２５３２の回転動作を停止させる（ステップＳ１０６）。そして、制御部４０は、ミスト吸引処理を終了する。
【００６８】
以上のように、本実施形態に係るミスト収集部２５（インクミスト収集装置）は、インクミスト及び空気を流入させるミスト流入口２５１１（２５３１）が設けられたダクト２５１７（２５３７）と、回転動作によりミスト流入口２５１１（２５３１）を介してダクト２５１７（２５３７）内に空気を流入させて当該流入した空気を吸引する吸引ファン２５１２（２５３２）と、ダクト２５１７（２５３７）内のミスト流入口２５１１（２５３１）とファン２５１２（２５３２）との間において吸引ファン２５１２（２５３２）の回転軸２５１２ａ（２５３２ａ）に沿って設けられ、空気中のインクミストを各々捕捉する第１フィルター２５１３（２５３３）及び第２フィルター２５１４（２５３４）と、を備え、第１フィルター２５１３（２５３３）及び第２フィルター２５１４（２５３４）の各々の面積は、回転動作する吸引ファン２５１２（２５３２）がなす円の面積よりも大きく、各フィルターには、流入口２５１１（２５３１）に最も近い第１フィルター２５１３（２５３３）により捕捉されるインクミストの重量が、第２フィルター２５１４（２５３４）により捕捉されるインクミストの重量よりも大きくなる条件を満たすものが用いられ、第１フィルター２５１３（２５３３）及び第２フィルター２５１４（２５３４）は、回転軸２５１２ａ（２５３２ａ）に平行な軸方向について、吸引される空気が当該第１フィルター２５１３（２５３３）及び第２フィルター２５１４（２５３４）の間において軸方向とは異なる方向に流動する間隔で配置されている。
このような構成によれば、吸引ファン２５１２（２５３２）により吸引される空気が第２フィルター２５１４（２５３４）を通過する前に軸方向とは異なる方向に流動する結果、第１フィルター２５１３（２５３３）と第２フィルター２５１４（２５３４）との間に吸引により生じる負圧の分布の偏りが少なくなり、第１フィルター２５１３（２５３３）の位置に生じる吸引力の、吸引方向と垂直な面内での分布の偏りが少なくなる。これにより、第１フィルター２５１３（２５３３）におけるより広い領域で空気が吸引されて通過するため、第１フィルター２５１３においてインクミストが捕捉される領域を広げることができる。即ち、第１フィルター２５１３（２５３３）においてインクミストが捕捉される領域の偏りを抑制することができる。この結果、第１フィルター２５１３（２５３３）の交換頻度を低く抑えることができ、これによりミスト収集部２５のランニングコストを低減させることができる。
【００６９】
また、第１フィルター２５１３（２５３３）及び第２フィルター２５１４（２５３４）には、上流側の第１フィルター２５１３（２５３３）により当該第１フィルター２５１３（２５３３）の特性に応じて捕捉可能なインクミストの直径の最小値が、第２フィルター２５１４（２５３４）により当該第２フィルター２５１４（２５３４）の特性に応じて捕捉可能なインクミストの直径の最小値以下となる条件を満たすものが用いられている。このような構成によれば、ミスト収集部２５において捕捉可能なインクミストのほとんどを第１フィルター２５１３（２５３３）において捕捉することができる。よって、第２フィルター２５１４（２５３４）の交換頻度を低下させ、あるいは交換不要とすることができるため、フィルター交換の手間を最小限とすることができ、またミスト収集部２５のランニングコストを低減させることができる。
【００７０】
また、第１フィルター２５１３（２５３３）及び第２フィルター２５１４（２５３４）の間隔は、吸引ファン２５１２（２５３２）により空気が吸引されているときの当該第１フィルター２５１３（２５３３）及び第２フィルター２５１４（２５３４）の間における軸方向とは異なる方向への空気の流動により、第１フィルター２５１３（２５３３）における空気の通過面の端部において生じる吸引ファン２５１２（２５３２）による空気の吸引力を増大させる大きさである。これにより、第１フィルター２５１３（２５３３）においてインクミストが捕捉される領域の偏りをさらに抑制することができる。また、第１フィルター２５１３（２５３３）の交換頻度をより低くすることができる。
【００７１】
また、第１フィルター２５１３（２５３３）及び第２フィルター２５１４（２５３４）は、軸方向について、当該第１フィルター２５１３（２５３３）及び第２フィルター２５１４（２５３４）の厚さの最大値よりも大きい間隔ｄ１を開けて配置されている。これにより、第１フィルター２５１３（２５３３）と第２フィルター２５１４（２５３４）との間において空気を効果的に軸方向とは異なる方向に流動させることができる。
【００７２】
また、第１フィルター２５１３（２５３３）は、ダクト２５１７（２５３７）に対して着脱可能に設けられている。これにより、捕捉されたインクミストにより第１フィルター２５１３（２５３３）の目が詰まった場合にも、第１フィルター２５１３（２５３３）を交換することにより引き続きインクミストを捕捉することができる。
【００７３】
また、第２フィルター２５１４（２５３４）は、ダクト２５１７（２５３７）に対して着脱不能な状態で固定されている。これにより、第２フィルター２５１４（２５３４）を着脱可能とするための構成が不要となるため、ミスト収集部２５の構成を簡素化することができ、また製造コストを低減させることができる。
【００７４】
また、第１フィルター２５１３（２５３３）及び第２フィルター２５１４（２５３４）の各々の面積は、回転動作する吸引ファン２５１２（２５３２）がなす円の面積の１０倍以上であり、第２フィルター２５１４（２５３４）と吸引ファン２５１２（２５３２）との間隔は、上記円の直径の１／２以下である。このように第１フィルター２５１３（２５３３）の面積が吸引ファン２５１２（２５３２）の回転に対して１０倍以上となるような構成では、第１フィルター２５１３（２５３３）においてインクミストが捕捉される領域の偏りが特に生じやすくなるが、第２フィルター２５１４（２５３４）による空気の軸方向とは異なる方向への流動により当該領域の偏りを効果的に抑制することができる。
【００７５】
また、本実施形態のインクジェット記録装置１は、インクを吐出するヘッドユニット２４と、ミスト収集部２５と、を備えるため、ミスト収集部２５において効率良くインクミストを捕捉、収集することができる。また、ミスト収集部２５の第１フィルター２５１３（２５３３）の交換頻度を低く抑えることができるため、インクジェット記録装置１のランニングコストを低減させることができる。
【００７６】
なお、本発明は、上記実施形態に限られるものではなく、様々な変更が可能である。
例えば、上記実施形態では、第１中間ミスト収集部２５１、第２中間ミスト収集部２５２及び最終ミスト収集部２５３の各々において、２つのフィルター（第１フィルター及び第２フィルター）が設けられている例を用いて説明したが、フィルターは、吸引ファンの回転軸に沿って３つ以上設けられていても良い。この場合、各フィルターとしては、ミスト流入口に最も近い最上流フィルターにより捕捉されるインクミストの重量が、他のフィルターよりそれぞれ捕捉されるインクミストの重量よりも大きくなる条件を満たすものが用いられる。また、各フィルターには、最上流フィルターにより当該最上流フィルターの特性に応じて捕捉可能なインクミストの直径の最小値が、最上流フィルター以外のフィルターの各々により当該フィルターの各々の特性に応じて捕捉可能なインクミストの直径の最小値以下となる条件を満たすものが用いられる。また、フィルター同士の軸方向についての配置間隔が、各フィルターの厚さの最大値よりも大きくなるように調整され、かつ互いに隣り合う少なくとも一対のフィルターの軸方向についての間隔が、当該一対のフィルターの間において軸方向と異なる方向に空気を流動させることが可能な範囲で調整される。また、複数のフィルターのうち少なくとも最上流フィルターが着脱可能に設けられていれば良く、他のフィルターは、着脱可能であっても無くても良い。
【００７７】
また、上記実施形態では、第１フィルター２５１３（２５３３）として、第２フィルター２５１４（２５３４）よりも目の細かいものを用いる例を挙げて説明したが、これに限られない。即ち、各フィルターとしては、ミスト流入口に最も近い最上流フィルター（第１フィルター２５１３（２５３３））により捕捉可能なインクミストの直径の最小値が、他の各フィルター（第２フィルター２５１４（２５３４））により捕捉可能なインクミストの直径の最小値以下となる条件を満たすものとすることができ、例えば、第１フィルター２５１３（２５３３）及び第２フィルター２５１４（２５３４）に同一のフィルターが用いられても良い。
また、最上流フィルターにより捕捉されるインクミストの重量が、他の各フィルターの各々により捕捉されるインクミストの重量よりも大きくなる条件を満たす範囲で、各フィルターとして、最上流フィルターにより捕捉可能なインクミストの直径の最小値が、他の各フィルターにより捕捉可能なインクミストの直径の最小値よりも大きくなるようなものを用いても良い。
【００７８】
また、上記実施形態では、第２フィルター２５１４、２５３４がダクト２５１７（２５３７）に対して着脱不能な状態で固定されている例を用いて説明したが、これに限られず、着脱可能に設けられていても良い。
【００７９】
また、第１フィルター２５１３及び第２フィルター２５１４は、吸引ファン２５１２の回転軸２５１２ａに対して直角以外の角度をなすように傾斜して設けられていても良い。同様に、第１フィルター２５３３及び第２フィルター２５３４は、吸引ファン２５３２の回転軸２５３２ａに対して直角以外の角度をなすように傾斜して設けられていても良い。これらの場合には、回転軸に垂直な面への各フィルターの投影面積が、回転動作する吸引ファンがなす円の面積よりも大きくなるような配置とされる。
【００８０】
また、上記実施形態では、搬送方向について上流側の３つのヘッドユニット２４の下流側にそれぞれ第１中間ミスト収集部２５１又は第２中間ミスト収集部２５２が配置され、最下流のヘッドユニット２４の下流側に最終ミスト収集部２５３が配置される例を用いて説明したが、これに限定する趣旨ではない。例えば、各ヘッドユニット２４の搬送方向下流側にそれぞれ第１中間ミスト収集部２５１又は第２中間ミスト収集部２５２が配置される構成としても良い。また、ヘッドユニット２４の搬送方向の配置スペースに余裕がある場合には、各ヘッドユニット２４の搬送方向下流側にそれぞれ最終ミスト収集部２５３と同一の構成のミスト収集部を設けても良い。
【００８１】
また、第１中間ミスト収集部２５１、第２中間ミスト収集部２５２及び最終ミスト収集部２５３における吸引ファンの取付位置は、上記実施形態に示した位置に限られず、吸引ファンからの排気がインクジェット記録装置１の記録動作に影響しない範囲で任意に変更することができる。例えば、吸引ファンをミスト収集部の鉛直上方側の面（吸引面とは反対側の面）に取り付けても良い。また、第１フィルター及び第２フィルターは、吸引ファンの位置に合わせて、空気の通過面が吸引ファンに対向する位置に取り付ければ良い。
【００８２】
また、第１中間ミスト収集部２５１及び第２中間ミスト収集部２５２において、吸引ファンが２以上設けられていても良い。また、最終ミスト収集部２５３における吸引ファンの数は、３つに限られず、２つ以下又は４つ以上であっても良い。
【００８３】
また、上記実施形態では、ミスト流入口２５１１、２５３１として円形の開口部を例に挙げて説明したが、これに限られず、インクミストにより目が詰まらない範囲で細かいメッシュやより大きな格子などが設けられていても良い。
また、ミスト流入口２５１１、２５３１は、搬送ドラム２１の搬送面（搬送面に載置された記録媒体Ｐ）と略平行に対向する面に設けられたものに限られない。ミスト流入口２５１１、２５３１が記録媒体Ｐに対して傾いている形状を有するもの、ヘッドユニット２４に面した搬送方向上流側側面の下端付近などにミスト流入口２５１１、２５３１が設けられたものや、ミスト流入口２５１１、２５３１が平面上にではなく、凹部内や突起部などに設けられたものであっても良い。
【００８４】
また、ミスト流入口２５１１（２５３１）と吸引ファン２５１２（２５３２）との位置関係や、ダクト２５１７（２５３７）の形状などは、適宜設計されて良い。
【００８５】
また、上記実施形態では、シングルパス形式のインクジェット記録装置１を例に挙げて説明したが、ヘッドユニットを主走査方向に走査させながら画像の記録を行うインクジェット記録装置に本発明を適用しても良い。この場合には、ミスト収集部は、ヘッドユニットとともに移動するように、例えばキャリッジに取り付けられても良いし、ヘッドユニットの走査幅の両端に固定されていても良い。ミスト収集部をヘッドユニットとともに移動させる場合には、ミスト収集部は、走査方向についてヘッドユニットの上流側及び／又は下流側に設けられても良いし、走査方向に垂直な方向に設けられても良い。
【００８６】
また、上記実施形態では、搬送ドラム２１により記録媒体Ｐを搬送する例を用いて説明したが、これに代えて、例えば２本のローラーに支持されローラーの回転に応じて移動する搬送ベルトにより記録媒体Ｐを搬送しても良い。
【００８７】
本発明のいくつかの実施形態を説明したが、本発明の範囲は、上述の実施の形態に限定されるものではなく、特許請求の範囲に記載された発明の範囲とその均等の範囲を含む。
【符号の説明】
【００８８】
１  インクジェット記録装置
２  外部装置
１０  給紙部
１１  給紙トレー
１２  媒体供給部
２０  画像記録部
２１  搬送ドラム
２２  受け渡しユニット
２３  加熱部
２４  ヘッドユニット
２４１  記録ヘッド駆動部
２４２  記録ヘッド
２４２Ｍ  ヘッドモジュール
２４３  ノズル
２５  ミスト収集部
２５１  第１中間ミスト収集部
２５１ａ  ミスト流入部
２５１ｂ  本体部
２５２  第２中間ミスト収集部
２５３  最終ミスト収集部
２５１１，２５３１  ミスト流入口
２５１２，２５３２  吸引ファン
２５１２ａ，２５３２ａ  回転軸
２５１３，２５３３  第１フィルター
２５１４，２５３４  第２フィルター
２５１７，２５３７  ダクト
２６  定着部
２７  デリバリー部
３０  排紙部
３１  排紙トレー
４０  制御部
４１  ＣＰＵ
４２  ＲＡＭ
４３  ＲＯＭ
４４  記憶部
５１  吸引ファン駆動部
５２  搬送駆動部
５３  入出力インターフェース
５４  バス
Ｐ  記録媒体
【図１】
2017226095.tif 000003
【図２】
2017226095.tif 000004
【図３】
2017226095.tif 000005
【図４】
2017226095.tif 000006
【図５】
2017226095.tif 000007
【図６】
2017226095.tif 000008
【図７】
2017226095.tif 000009